(57)【要約】【課題】外観上の見栄えを低下することなく、雨水やほこり等が極力付着しにくい位置にストロークダンパーを設ける。【解決手段】この発明は、ストロークダンパーをガイドレールであるガイド手段の長手方向に延長した場合の空間内、すなわち、シャッターケース内に収納したり、ガイドレール内に直接設けたものである。開閉手段はガイドレール内を移動するように構成されたものであり、ガイドレール内には水切り部のようなものは存在しない。そこで、開閉手段の動作に連動してガイドレール内を移動する連動手段を設け、この連動手段とストロークダンパーの先端部とを接触させて、開閉手段の開閉動作に制動をかけるようにした。【選択図】図３
2006265898.tif 000002
【特許請求の範囲】
【請求項１】
開口部を開閉するように動作する開閉手段と、
前記開閉手段の開閉動作を案内するガイド手段と、
前記ガイド手段の長手方向に延長した場合の空間内又は前記ガイド手段内に設けられたストロークダンパーであって、そのストローク方向が前記開閉手段の開閉方向と一致し、前記ストロークダンパーの先端部が前記開閉手段の動作に連動して前記ガイド手段内を移動する連動手段と接触することによって前記開閉手段の開閉動作に制動をかけるように構成されたダンパー手段と
を備えたことを特徴とする開閉体装置。
【請求項２】
請求項１に記載された開閉体装置において、前記ダンパー手段を、前記ガイド手段の長手方向に沿って延長した場合の空間内の前記開閉手段を保持するブラケット手段に設け、前記ダンパー手段の先端部と前記連動手段とが前記ガイド手段内で接触することによって前記開閉手段の開閉動作に制動をかけるように構成したことを特徴とする開閉体装置。
【請求項３】
請求項１に記載された開閉体装置において、前記ガイド手段の内壁面に沿ってスライド移動するように設けられたスライド手段を設け、前記ダンパー手段の先端部と前記連動手段とが前記スライド手段を介して前記ガイド手段内で接触することによって前記開閉手段の開閉動作に制動をかけるように構成したことを特徴とする開閉体装置。
【請求項４】
請求項１、２又は３に記載された開閉体装置において、前記ダンパー手段の断面形状が四角形状で構成されていることを特徴とする開閉体装置。
【発明の詳細な説明】
【技術分野】
【０００１】
本発明は、住宅、ビル、工場、倉庫などの建物を含む構築・構造物の開口部に設置されるシャッターカーテンなどの開閉手段を移動することによってその開口部を開放、閉鎖する開閉体装置に関する。
【背景技術】
【０００２】
従来、住宅、ビル、工場、倉庫、車庫などの建物を含む構築・構造物の開口部に設置されるシャッターカーテンなどの開閉体は、閉鎖方向へ移動することによってその開口部を閉鎖するものである。このような開閉体は、その開閉動作を手動で行なうものもあれば、電動で行なうものもある。開閉動作を電動で行うものは、開閉体の移動時の速度や全閉時及び全開時の直前の速度などを適宜制御することによって、全閉時や全開時に発生する衝撃音や振動音などの発生を抑制することができる。ところが、開閉動作を手動で行うものは、開閉体などを手動で勢い良く上げ開放させることによって、その上限で水切りが戸当たりやまぐさなどに衝突し、その衝撃と振動で比較的大きな衝撃音や振動音などの騒音を発生してしまう場合がある。そこで、従来は、特許文献１に記載されているように、巻取ドラム内にシャッターカーテンの上昇速度に応じて緩衝弾機の蓄勢力を利用して衝撃や振動を吸収するようにした衝撃吸収装置を設けたものが提案されている。
【特許文献１】実開平５−３５９５号公報
【発明の開示】
【発明が解決しようとする課題】
【０００３】
従来のものは、一端が巻取りドラム内の支持軸に取り付けられた巻取ホイールに固定され、他端が慣性ウエイトに固定されたコイルバネからなる第１緩衝弾機と、一端が支持軸に固定され、他端が慣性ウエイトに固定されたコイルバネからなる第２緩衝弾機との付勢力を用いているので、長期間の使用による経年変化によって第１及び第２緩衝弾機の付勢力が劣化し、慣性ウエイトによる蓄勢力が弱まり、衝撃や振動を吸収する効果が薄れ、その結果として衝撃音や振動音を抑制することができなくなるおそれがある。
【０００４】
そこで、本願の出願人は、先に特願２００３−３１４８１１号を出願し、長期間の使用によっても経年変化による劣化の影響を少なくし、振動や衝撃などによる騒音の発生を抑制することのできるシャッター装置を提案している。図１は、この先願に係るシャッター装置の概要を示す図である。
【０００５】
このシャッター装置は、構築・構造物の開口部に設けられるものであり、基本的にシャッターケース１、シャッターカーテン２、ガイドレール３，４、巻取りドラム５から構成される。ガイドレール３，４は、シャッターカーテン２の両端部を案内するように建物の開口部の両端側に設けられ、まぐさ部から床面まで掛け渡された断面形状が略コの字型の案内溝を有する金属製部材で構成されている。シャッターカーテン２は、このガイドレール３，４の各案内溝に沿って上昇下降し、開口部の開閉動作を行う。巻取りドラム５は、シャッターケース１の両端ブラケット（図示せず）に固着された支持軸５１に自由回動自在に支持されるものであり、シャッターカーテン２を巻取るために巻取ドラム５を構成する巻取りホイール５２に付勢力を与える巻取り弾機５３，５４がそれぞれ一端を巻取ホイール５２に、他端を支持軸５１に連結して支持軸５１に外嵌する状態で介装されている。
【０００６】
このシャッター装置は、内まぐさと外まぐさの戸当たり部６１，６２のそれぞれ４箇所（左右２箇所）にストロークダンパー２１〜２４を備え、シャッカーカーテン２の全開時に水切り部２５がストロークダンパー２１〜２４によって制動を受け、シャッターカーテン２の水切り部２５が急激に戸当たり部６１，６２に接触しないように抑制している。図２は、戸当たり部に取り付けられたストロークダンパーと水切り部との関係の一例を示す図である。図２（Ａ）は、水切り部２５がストロークダンパー２１，２２に接触する前の状態を示す図であり、図２（Ｂ）は、水切り部２５がストロークダンパー２１，２２に接触して、制動を受けながらシャッターカーテン２が全開した状態を示す図である。
【０００７】
図から明かなように、図２（Ａ）の状態では、ストロークダンパー２１，２２の接触部２１ａ，２２ａは内蔵バネの付勢力によって下端部まで伸長している。この状態でシャッターカーテン２が上昇すると、水切り部２５がストロークダンパー２１，２２の接触部２１ａ，２２ａに接触し、ストロークダンパー２１，２２の接触部２１ａ，２２ａを押し上げ、ストロークダンパー２１，２２のストローク部が内部に押し込まれ、図２（Ｂ）のような状態になる。図に示すように、シャッターカーテン２は、戸当たり部に設けられた４個のストロークダンパー２１〜２４によってゆっくりと制動を掛けられながら巻取りドラム５に巻き取られ、全開となる。この状態からシャッターカーテン２が下降すると、内部に押し込まれていたストロークダンパー２１，２２のストローク部は内蔵バネの付勢力によって、図２（Ａ）のように復帰する。
【０００８】
上述の先願の発明は、図１に示すように、開口部側端部の内まぐさと外まぐさの戸当たり部付近にストロークダンパーを設け、このストロークダンパーの可動部が開放動作時にシャッターカーテンの水切り部に接触することによってシャッターカーテンの動きに制動を掛けるようにしたものであるが、図１に示すようにシャッターカーテンがガイドレールに沿って移動して閉鎖した状態のときに、ストロークダンパーが開口部から突出し、開口部前後からストロークダンパー２１〜２４のストローク部が露出して、外観上の見栄えが低下すると共に露出しているために雨やほこり等が付着しやすく、それにより制動動作に悪影響を及ぼすおそれがあった。
この発明は、外観上の見栄えを低下することなく、雨水やほこり等が極力付着しにくい位置にストロークダンパーを設けることのできる開閉体装置を提供することを目的とする。
【課題を解決するための手段】
【０００９】
本発明の開閉体装置の第１の特徴は、開口部を開閉するように動作する開閉手段と、前記開閉手段の開閉動作を案内するガイド手段と、前記ガイド手段の長手方向に延長した場合の空間内又は前記ガイド手段内に設けられたストロークダンパーであって、そのストローク方向が前記開閉手段の開閉方向と一致し、前記ストロークダンパーの先端部が前記開閉手段の動作に連動して前記ガイド手段内を移動する連動手段と接触することによって前記開閉手段の開閉動作に制動をかけるように構成されたダンパー手段とを備えたことにある。
これは、ストロークダンパーをガイドレールであるガイド手段の長手方向に延長した場合の空間内、すなわち、開閉手段収納部内に設けたり、ガイドレール内に直接設けたものである。開閉手段はガイドレール内を移動するように構成されたものであり、ガイドレール内には水切り部のようなものは存在しない。そこで、開閉手段の動作に連動してガイドレール内を移動する連動手段を設け、この連動手段とストロークダンパーの先端部とを接触させて、開閉手段の開閉動作に制動をかけるようにした。これによって、ダンパー手段が開口部から露出することがなくなり、外観上の見栄えが向上し、雨水やほこり等が付着しにくく、より適切に制動を行うことができるようになる。
【００１０】
本発明の開閉体装置の第２の特徴は、前記第１の特徴に記載された開閉体装置において、前記ダンパー手段を、前記ガイド手段の長手方向に沿って延長した場合の空間内の前記開閉手段を保持するブラケット手段に設け、前記ダンパー手段の先端部と前記連動手段とが前記ガイド手段内で接触することによって前記開閉手段の開閉動作に制動をかけるように構成したことにある。
これは、ダンパー手段の本体部分をガイド手段の延長方向の空間部に該当するブラケット手段に設けて、ダンパー手段のストローク先端部がガイド手段内を移動して、開閉動作時に連動手段と接触するようにしたものである。
【００１１】
本発明の開閉体装置の第３の特徴は、前記第１の特徴に記載された開閉体装置において、前記ガイド手段の内壁面に沿ってスライド移動するように設けられたスライド手段を設け、前記ダンパー手段の先端部と前記連動手段とが前記スライド手段を介して前記ガイド手段内で接触することによって前記開閉手段の開閉動作に制動をかけるように構成されたことにある。
これは、ダンパー手段の本体部分とストローク先端部を共にガイド手段内に設けたものである。このようにダンパー手段本体がガイド手段内に設けられると、ダンパー手段のストローク先端部と連動手段との接触範囲が限定されるので、ガイド手段の内壁面に沿ってスライド移動するスライド手段を設け、このスライド手段を介してダンパー手段の先端部と連動手段とがガイド手段内で接触するようにしたものである。
【００１２】
本発明の開閉体装置の第４の特徴は、前記第１、２又は３の特徴に記載された開閉体装置において、前記ダンパー手段の断面形状が四角形状で構成されていることにある。
これは、ガイド手段の内壁面の形状は四角形状の場合が多いので、この内壁面の形状に合うようにダンパー手段の断面形状を四角形状とし、ダンパー手段の断面積をできる限り大きくして十分な制動力を得るようにしたものである。
【発明の効果】
【００１３】
以上のように本発明によれば、外観上の見栄えを低下することなく、雨水やほこり等が極力付着しにくい位置にストロークダンパーを設けることができるという効果がある。
【発明を実施するための最良の形態】
【００１４】
以下、本発明に係る開閉体装置の好適な実施の形態を図面を参照して詳細に説明する。なお、この実施の形態においては、開閉体装置としてシャッター装置を例に説明する。シャッター装置は、例えば、短冊板状のスラットを多数連結してなるシャッターカーテンを、開口部左右に設けられたガイドレールに案内されて上下昇降動するものであり、建物開口部の上方に設けられた巻取ドラムに巻回状態で収容され、巻き戻されることで建物開口部を閉鎖するものである。シャッター装置の全体構成は、図１に示した先願と同じなのでその説明は省略する。この実施の形態に係るシャッター装置は、ストロークダンパーのストローク部をガイドレール内に設け、その他の部分はシャッターカーテン収納部であるシャッターケース１の両端ブラケット内に収納するようにしたものである。
【００１５】
図３は、ストロークダンパーの本体部を両端ブラケット内に収納し、ストローク部（ロッド部）をガイドレール内に設けたシャッター装置の一実施の形態を示す図である。図３は、ブラケット部付近を拡大して示してある。図３では、ブラケットを点線で示し、ストロークダンパーを実線で示し、ガイドレールを一点鎖線で示してある。
【００１６】
図３に示すように、ストロークダンパー３０は、両端部に設けられたガイド部及びボトム部を介して、ガイドレール４の長手方向に延長した上部であって、かつ、両端ブラケット４０の立ち上げ部分の側面、言い換えると、巻取ドラム５側とはシャッターカーテン２を挟んで反対側で、かつ、構築・構造物の躯体に近接する側の位置にネジ等の固定具（リベットや針、溶接などを含むものである。以下同じ）などにて固定されている。ブラケット４０は、構築・構造物の躯体にネジ等の固定具などにて固定されており、シャッターケース１の左右両端に設けられ、巻取りドラム５を支持するようになっている。ブラケット４０の下側には、Ｌ字型のまぐさ受け部４１，４２がガイドレール４の上端部であって、ガイドレール４を前後から挟むように設けられている。このまぐさ受け部４１，４２にシャッターカーテン２のシャッターケース１側から開口部側への通過口となる内まぐさと外まぐさが取り付けられる。
【００１７】
ブラケット４０の巻取ドラム５側とはシャッターカーテン２を挟んで反対側となるまぐさ受け部４２には、ストロークダンパー３０のロッド部３１を貫通させるための開口部４３が設けられている。すなわち、ブラケット４０の立ち上げ部分にストロークダンパー３０をネジ等の固定具などにて固定し、その後にストロークダンパー３０のロッド部３１の先端を開口部４３に通過させ、通過後のロッド部３１の先端にドグ受け部材３２を取り付けている。
【００１８】
ドグ受け部材３２は、開口部４３の幅より少なくとも一部が大きい形状となっており、ロッド部３１の移動範囲はこの開口部４３によって規制されるようになっている。図３に示すような位置にストロークダンパー３０が設けられた場合、ロッド部３１の先端、すなわちドグ受け部材３２は、シャッターカーテン２の水切り部２５に接触することができない。そこで、この実施の形態では、シャッカーカーテン２の閉鎖側先端部のガイドレール内に位置する部分には、シャッターカーテン２の開閉動作と連動しドグ受け部材３２と接触するためのダンパードグ部材５０がネジ等の固定具などにて固定されている。ダンパードグ部材５０は、Ｌ字型の鋼板を２枚組み合わせた２段Ｌ字型をしている。この実施の形態では、ダンパードグ部材５０のドグ受け部材３２と接触する箇所がシャッターカーテン２の水切り部２５とほぼ同じレベルとなるように構成されている。
【００１９】
図４は、図３において、ガイドレール内の構成を示すために、ストロークダンパー側から床面側を見た図である。図４に示すように、ダンパードグ部材５０は、ガイドレール４内に沿って移動可能な形状を有している。図５は、図４とは逆に、図３において、ガイドレールとストロークダンパーとの関係を示すために、床面側からストロークダンパー側を見た図である。なお、図５では、ガイドレールを一点鎖線で示す。
【００２０】
図５に示すように、ロッド部３１に設けられたドグ受け部材３２の全面がダンパードグ部材５０の先端部に接触するように、それぞれ位置決め配置されている。このダンパードグ部材５０が開放動作時のシャッターカーテン２の水切り部２５とほぼ同じレベルで移動するので、このときにドグ受け部材３２がダンパードグ部材５０に接触することによって、ロッド部３１が上方向に付勢される。この付勢力がロッド部３１を介して伝達され、ロッド部３１がストロークダンパー３０の本体内部に押し込まれ、シャッターカーテン２は、ゆっくりと制動を掛けられながら巻取りドラム５に巻き取られ、全開状態となる。この状態からシャッターカーテン２が下降すると、内部に押し込まれていたストロークダンパー３０のロッド部３１が内蔵バネ等の付勢部材の付勢力及び／又は自重によって、下降して突出した初期状態に復帰する。
【００２１】
図６は、ストロークダンパーの詳細構成を示す図である。ストロークダンパー３０はエアの排出によって制動力を発生するエアシリンダである。ストロークダンパー３０は、全長が約２００〜３００［ｍｍ］程度のシリンダ部３３と、このシリンダ部３３の一端に設けられたガイド部材３４を介して挿入されるロッド部３１と、ロッド部３１の先端であって、シリンダ部３３内を移動するように設けられたピストン部（ピストンパッキン部、円錐バネ部）と、シリンダ部３３の他端に設けられたボトム部３５とから構成される。なお、シリンダ部３３内のピストン部の構造は、従来のものと同じなので、図示を省略してある。
【００２２】
ガイド部３４及びボトム部３５には、ストロークダンパー３０をブラケット４０の立ち上げ部分の側面にネジ等の固定具などにて固定するための固定用穴部３４ａ，３４ｂ，３５ａを有する。ボトム部３５には、シリンダ部３３内のエア通路となる穴３５ｂが設けられており、この穴３５ｂのエア通路面積を調節するための調整ネジ３６が穴３５ｂの長手方向と垂直な方向に設けられている。この調整ネジ３６を回転制御することによって、穴３５ｂのエア通路面積を微調整することができ、これにより、エアの排出量の微調整が可能となっている。また、穴３５ｂ内全体には、エア排出音を消音するための消音スポンジが設けられている。ロッド部３１の先端には、ドグ受け部材３２がネジ込められるようになっているので、このときにロッド部３１が回転しないように固定するための切欠き部３１ａ，３１ｂがロッド部３１の両側に設けられている。
【００２３】
図７は、ストロークダンパーの本体全部をガイドレール内に収納したシャッター装置の変形例を示す図であり、図３に対応したものである。図７では、ブラケット及びストロークダンパーを点線で示し、ガイドレールを一点鎖線で示している。この実施の形態が上述のものと異なる点は、ストロークダンパー３０の本体がガイドレール４の内部に設けられ、シャッカーカーテン２の閉鎖側先端部のガイドレール内に位置する部分に設けられるダンパードグ部材７０がストロークダンパー３０を囲むようなコの字型をし、このコの字型のダンパードグ部材７０がスライド部材７１のＬ字型の突起部に接触して、スライド部材７１を上方に持ち上げることによって、ドグ受け部材３２をシリンダ部３３内に押し込むように構成されている点である。
【００２４】
図８は、図７において、ガイドレールとストロークダンパーとスライド部材との関係を示すために、ブラケット側から床面側を見た図である。なお、図８では、ストロークダンパ３０を一点鎖線で示す。図７に示すように、ストロークダンパー３０は、両端部に設けられた固定部を介して、ガイドレール４の内部であって、ガイドレール４の上方側にネジ等の固定具などにて固定されている。スライド部材７１は、このストロークダンパー３０を両側から挟むように設けられ、ガイドレール４の両側内壁面に設けられた案内溝４１，４２に沿って上下方向にスライド移動可能になっている。図７及び図８に示すようにガイドレール４内にストロークダンパー３０が設けられた場合、ストロークダンパー３０が外部から視認されなくなるので、外観上の見栄えは格段に向上する。
【００２５】
スライド部材７１は、シャッターカーテン２が全閉した場合に、ガイドレール４の最下端部に接するようにしてもよいし、ストロークダンパー３０のガイド部３４に接触して、そこから下方側に移動しないように規制してもよい。ロッド部３１の先端、すなわちドグ受け部材３２は、シャッターカーテン２の水切り部２５やダンパードグ部材７０に接触することはないが、スライド部材７１を介して接触しているので、ダンパードグ部材７０が開放動作時のシャッターカーテン２の動きに応じて移動すると、ダンパードグ部材７０がスライド部材７１を上方に持ち上げ、これに応じてドグ受け部材３２がスライド部材７１に接触して、ロッド部３１が上方向に付勢される。この付勢力がロッド部３１を介して伝達され、ロッド部３１がストロークダンパー３０の内部に押し込まれ、シャッターカーテン２は、ゆっくりと制動を掛けられながら巻取りドラム５に巻き取られ、全開となる。この状態からシャッターカーテン２が下降すると、内部に押し込まれていたストロークダンパー３０のロッド部３１が内蔵バネ等の付勢部材の付勢力及び自重によって、下降して初期状態に復帰する。なお、この実施の形態では、スライド部材７１とドグ受け部材３２を分離しているが、一体構成としてもよい。
【００２６】
図９は、ストロークダンパーの別の実施例を示す図である。上述の実施の形態で採用したストロークダンパーは円筒形状をしたものであるが、図４、図５及び図８に示すように、ガイドレール４の断面形状がほぼ長方形状なので、この長方形状に合わせてストロークダンパーの断面形状を長方形状にしたものである。このように、ストロークダンパーの断面形状を長方形状にすることによって、ガイドレール４内でストロークダンパーの制動力に関係するピストン部の面積を最大限に大きくすることができるので、十分な制動力を得ることができる。なお、ストロークダンパーの断面形状は長方形状に限らず正方形状でもよい。すなわち、ストロークダンパーの断面形状は、設置スペースや大きい断面積による、より大きな制動力を確保する上で、正方形状や長方形状などの任意の四角形とすることが好ましい場合がある。従って、ストロークダンパーの断面形状が台形や平行四辺形で構成される場合もある。
【００２７】
上述の実施の形態では、ストロークダンパーをガイドレールの長手方向に延長した上方のブラケット内、ガイドレール内に直接設ける場合について説明したが、ガイドレール内のシャッターカーテン側に設けてもよい。上述の実施の形態では、ダンパー手段として、エアを利用したものを示したが、衝撃や振動などによる騒音の発生を抑制するものであればオイルやガスを利用したもの等任意のものでよい。上述の実施の形態では、シャッターカーテンが上方から下降方式で繰り出される場合について説明したが、逆に上昇方式で繰り出されたりするものであっても同様に適用することができる。さらに、シャッター状の開閉部材が横引き方式で繰り出されたり、あるいは水平方式で繰り出されたりするものであっても同様に適用することができる。開閉体装置としては、例えば、シャッター装置、ブラインド装置、ロールスクリーン装置、垂れ幕装置、引戸装置、移動間仕切装置、オーニング装置、防水板装置、門扉装置などがある。
【００２８】
上述の実施の形態では、ストロークダンパーをブラケット又はガイドレールに設ける場合について説明したが、ストロークダンパーを開閉手段であるシャッターカーテン側であってガイドレール内などから露出しないように設けてもよい。また、開閉体装置が巻取収納方式のもの以外の収納方式のものにも同様に適用できる。
【００２９】
ストロークダンパーは、ブラケットを含むシャッターカーテン収納部内及び／又はガイドレール内で、図１、図２のように、シャッターカーテンを挟んで巻取ドラム側とその反対側との双方に設けても良いし、いずれか一方のみに設けても良く、シャッターカーテンの開閉のための巻取り、巻き戻し動作に支障のない位置に設けることが好ましい。一方のみに設ける場合は、巻取ドラムとはシャッターカーテンを挟んで反対側の位置に設けることがより好ましい。また、これらの場合、ストロークダンパーの配置位置に応じて、連動手段であるダンパードグ部材を配置するようにすれば良い。
【図面の簡単な説明】
【００３０】
【図１】先願に係るシャッター装置の概要を示す図である。
【図２】戸当たり部に取り付けられたストロークダンパーと水切り部との関係の一例を示す図である。
【図３】ストロークダンパーの本体部を両端ブラケット内に収納し、ストローク部（ロッド部）をガイドレール内に設けたシャッター装置の一実施の形態を示す図である。
【図４】図３において、ガイドレール内の構成を示すために、ストロークダンパー側から床面側を見た図である。
【図５】図３において、ガイドレールとストロークダンパーとの関係を示すために、床面側からストロークダンパー側を見た図である。
【図６】ストロークダンパーの詳細構成を示す図である。
【図７】ストロークダンパーの本体全部をガイドレール内に収納したシャッター装置の変形例を示す図であり、図３に対応したものである。
【図８】図７において、ガイドレールとストロークダンパーとスライド部材との関係を示すために、ブラケット側から床面側を見た図である。
【図９】ストロークダンパーの別の実施例を示す図である。
【符号の説明】
【００３１】
１…シャッターケース
２…シャッターカーテン
２１〜２４…ストロークダンパー
２１ａ，２２ａ…接触部
２５…水切り部
３，４…ガイドレール
３０…ストロークダンパー
３１…ロッド部
３２…ドグ受け部材
３３…シリンダ部
４０…ブラケット
４１，４２…まぐさ受け部
４３…開口部
５０，７０…ダンパードグ部材
５…巻取ドラム
５１…支持軸
５２…巻取りホイール
５３，５４…巻取り弾機
７１…スライド部材
【図１】
2006265898.tif 000003
【図２】
2006265898.tif 000004
【図３】
2006265898.tif 000005
【図４】
2006265898.tif 000006
【図５】
2006265898.tif 000007
【図６】
2006265898.tif 000008
【図７】
2006265898.tif 000009
【図８】
2006265898.tif 000010
【図９】
2006265898.tif 000011